(57)【要約】【課題】自動浴槽栓との通信において障害がある場合でも、お湯を無駄にせずに湯はり動作を開始することができる給湯機を提供する。【解決手段】給湯機は、浴槽の排水口に設けられた浴槽栓の開閉状態を検出する浴槽栓状態検出部と、前記浴槽に接続された循環回路における湯水の循環を検出する水流検出部と、前記浴槽栓の閉動作を指示した際に、前記浴槽栓状態検出部が前記浴槽栓の閉状態を検出しない場合は、設定された湯はり量よりも少ない第１基準湯量での前記浴槽の湯はりを指示し、その後に、前記循環回路における湯水の循環を指示し、その後に、前記水流検出部が湯水の循環を検出した場合は、設定された湯はり量まで前記浴槽の湯はりを指示し、前記水流検出部が湯水の循環を検出しない場合は、前記浴槽の湯はりの中止を指示する制御部と、を備えた。【選択図】図３
2019132472.tif 000002
【特許請求の範囲】
【請求項１】
浴槽の排水口に設けられた浴槽栓の開閉状態を検出する浴槽栓状態検出部と、
前記浴槽に接続された循環回路における湯水の循環を検出する水流検出部と、
前記浴槽栓の閉動作を指示した際に、前記浴槽栓状態検出部が前記浴槽栓の閉状態を検出しない場合は、設定された湯はり量よりも少ない第１基準湯量での前記浴槽の湯はりを指示し、その後に、前記循環回路における湯水の循環を指示し、その後に、前記水流検出部が湯水の循環を検出した場合は、設定された湯はり量まで前記浴槽の湯はりを指示し、前記水流検出部が湯水の循環を検出しない場合は、前記浴槽の湯はりの中止を指示する制御部と、
を備えた給湯機。
【請求項２】
前記制御部は、前記水流検出部が湯水の循環を検出しない場合は、前記浴槽栓の開閉状態の確認を促す情報を報知部に報知させる請求項１に記載の給湯機。
【請求項３】
前記制御部は、前記水流検出部が湯水の循環を検出しない場合は、前記浴槽栓の開閉状態の確認を促す情報を前記報知部に報知させる前に、前記浴槽栓の閉動作を指示する請求項２に記載の給湯機。
【請求項４】
前記制御部は、前記浴槽栓の閉じた実績が無い状態において、前記浴槽栓の閉動作を指示し、前記浴槽栓状態検出部が前記浴槽栓の閉状態を検出しない場合は、前記第１基準湯量での前記浴槽の湯はりを指示せずに、前記浴槽栓との接続の確認を促す情報を前記報知部に報知させる請求項２または請求項３に記載の給湯機。
【請求項５】
前記浴槽栓との連携を行うか否かを選択する選択手段を備える、請求項２から請求項４のいずれか１項に記載の給湯機。
【請求項６】
前記制御部は、前記浴槽栓の閉状態が検出されずに前記浴槽の湯はりを指示した場合、前記浴槽栓の閉状態が検出されずに前記浴槽の湯はりが実施されたことを示す情報を外部機器に報知させる請求項２から請求項５のいずれか１項に記載の給湯機。
【請求項７】
前記制御部は、前記浴槽栓との連携を行う設定がなされている際に前記浴槽栓との接続が検出されない場合、前記浴槽栓の開閉状態の検出に関わらず、前記浴槽の湯はりを指示する請求項２から請求項６のいずれか１項に記載の給湯機。
【請求項８】
前記制御部は、前記浴槽栓との連携を行う設定がなされていない際に前記浴槽の湯はりを指示する場合は、前記浴槽栓の閉状態の確認を促す情報を前記報知部に報知させ、前記浴槽栓との連携を行う設定がなされている際に前記浴槽の湯はりを指示する場合は、前記浴槽栓の閉状態の確認を促す情報を前記報知部に報知させない請求項２から請求項７のいずれか１項に記載の給湯機。
【請求項９】
前記制御部は、前記浴槽の湯はりを開始した後は、前記浴槽栓の開状態が検出されても湯はりを継続させる請求項２から請求項８のいずれか１項に記載の給湯機。
【請求項１０】
前記制御部は、前記浴槽の湯はりを開始した後は、前記浴槽栓の開状態が検出された際に、前記浴槽の湯はり中に前記浴槽栓が開いたことを示す情報を前記報知部に報知させる請求項９に記載の給湯機。
【請求項１１】
前記制御部は、前記浴槽栓の開閉状態を示す情報を前記報知部に表示させる請求項２から請求項１０のいずれか１項に記載の給湯機。
【発明の詳細な説明】
【技術分野】
【０００１】
この発明は、給湯機に関する。
【背景技術】
【０００２】
特許文献１は、給湯機を開示する。当該給湯機においては、湯はり動作と浴槽栓の開閉動作とが連携する。例えば、給湯機は、浴槽栓の閉動作を指示した後に当該浴槽栓の閉状態を検出してから湯はり動作を開始する。
【先行技術文献】
【特許文献】
【０００３】
【特許文献１】特開２００２−２５７４１２号公報
【発明の概要】
【発明が解決しようとする課題】
【０００４】
しかしながら、特許文献１に記載の給湯機は、配線の断線等により浴槽栓との通信において障害がある際に浴槽栓の閉状態を検出できない。この場合、湯はり動作が開始されない。また、浴槽栓の閉状態が検出されないまま、給湯機へ湯はり動作を指示すると、浴槽栓が閉じていないときに給湯されることもある。この場合、お湯が無駄になる。
【０００５】
この発明は、上述の課題を解決するためになされた。この発明の目的は、浴槽栓との通信において障害がある場合でも、お湯を無駄にせずに湯はり動作を開始することができる給湯機を提供することである。
【課題を解決するための手段】
【０００６】
この発明に係る給湯機は、浴槽の排水口に設けられた浴槽栓の開閉状態を検出する浴槽栓状態検出部と、浴槽に接続された循環回路における湯水の循環を検出する水流検出部と、浴槽栓の閉動作を指示した際に、浴槽栓状態検出部が浴槽栓の閉状態を検出しない場合は、設定された湯はり量よりも少ない第１基準湯量での浴槽の湯はりを指示し、その後に、循環回路における湯水の循環を指示し、その後に、水流検出部が湯水の循環を検出した場合は、設定された湯はり量まで浴槽の湯はりを指示し、水流検出部が湯水の循環を検出しない場合は、浴槽の湯はりの中止を指示する制御部と、を備えた。
【発明の効果】
【０００７】
この発明によれば、浴槽栓との通信において障害がある場合でも、お湯を無駄にせずに湯はり動作を開始することができる。
【図面の簡単な説明】
【０００８】
【図１】実施の形態１における給湯機が適用される給湯システムの構成図である。
【図２】実施の形態１における給湯機のリモコンの構成図である。
【図３】実施の形態１における給湯機において浴槽栓の状態を検出してから湯はり動作を開始するまでの処理を説明するためのフローチャートである。
【図４】実施の形態１における給湯機において、浴槽栓の閉状態の未検出の際の初回湯はり動作時の処理を説明するためのフローチャートである。
【図５】実施の形態１における給湯機において浴槽栓の閉状態の未検出の際の給湯開始後の処理を説明するためのフローチャートである。
【発明を実施するための形態】
【０００９】
この発明を実施するための形態について添付の図面に従って説明する。なお、各図中、同一または相当する部分には同一の符号が付される。当該部分の重複説明は適宜に簡略化ないし省略される。
【００１０】
実施の形態１．
図１は実施の形態１における給湯機が適用される給湯システムの構成図である。
【００１１】
図１において、浴槽１は、家庭の浴室等に設けられる。浴槽栓２は、浴槽１の排水口に設けられる。浴槽アダプタ３は、浴槽１の内側面に設けられる。浴槽栓駆動部４は、浴槽栓２と電気的に接続される。浴槽栓駆動部４は、浴槽栓２を開閉し得るように設けられる。開閉スイッチ５は、浴槽栓駆動部４と連動し得るように設けられる。開閉スイッチ５は、手動により浴槽栓２を開閉し得るように設けられる。
【００１２】
自動浴槽栓制御部６は、浴槽栓駆動部４と電気的に接続される。自動浴槽栓制御部６は、浴槽栓駆動部４の状態を検出し得るように設けられる。自動浴槽栓制御部６は、浴槽栓駆動部４の動作指示を行い得るように設けられる。
【００１３】
通信アダプタ７は、浴槽１が設けられた家庭等に設けられる。
【００１４】
外部機器８は、利用者が携帯し得るように設けられる。例えば、外部機器８は、スマートフォンである。例えば、外部機器８は、タブレットである。外部機器８は、通信アダプタ７と通信し得るように設けられる。
【００１５】
給湯機９は、ヒートポンプユニット１０と貯湯タンクユニット１１とリモコン１２とを備える。
【００１６】
ヒートポンプユニット１０は、空気熱交換器１３と圧縮機１４と沸き上げ用熱交換器１５と膨張弁１６と冷媒循環配管１７とＨＰ出口側サーミスタ１８とを備える。
【００１７】
ヒートポンプユニット１０は、ヒートポンプサイクルを利用する。具体的には、ヒートポンプユニット１０において、空気熱交換器１３と圧縮機１４と沸き上げ用熱交換器１５の１次側と膨張弁１６とは、冷媒循環配管１７により環状に接続される。
【００１８】
沸き上げ用熱交換器１５の２次側の入側は、ヒートポンプ入口配管１９の出側に接続される。沸き上げ用熱交換器１５の２次側の出側は、ヒートポンプ出口配管２０の入側に接続される。
【００１９】
ＨＰ出口側サーミスタ１８は、沸き上げ用熱交換器１５の２次側の出側の付近においてヒートポンプ出口配管２０に設けられる。
【００２０】
空気熱交換器１３は、冷媒循環配管１７の冷媒と大気中との間で熱交換を行い得るように設けられる。圧縮機１４は、冷媒を圧縮することにより冷媒の温度を上げ得るように設けられる。沸き上げ用熱交換器１５は、１次側に流れる冷媒と２次側に流れる低温水との間で熱交換を行い得るように設けられる。膨張弁１６は、冷媒を膨張させることにより冷媒の温度を下げ得るように設けられる。ＨＰ出口側サーミスタ１８は、沸き上げ用熱交換器１５により加熱された高温水の温度を検出し得るように設けられる。
【００２１】
なお、沸き上げ用熱交換器１５の２次側において高温水を得るためには、冷媒として二酸化炭素を用いることが好ましい。この際、冷媒の臨界圧を越える圧力でヒートポンプユニット１０を運転することが好ましい。
【００２２】
貯湯タンクユニット１１は、貯湯タンク２１と給水配管２２と給湯配管２３と複数の残湯サーミスタ２４を内蔵する。
【００２３】
貯湯タンク２１の下部は、低温水が流入され得るように設けられる。貯湯タンク２１の上部は、高温水が流入され得るように設けられる。貯湯タンク２１の上部と下部とは、温度差が生じた湯水を貯留し得るように設けられる。給水配管２２の出側は、貯湯タンク２１の下部に接続される。給水配管２２は、市水を貯湯タンク２１の下部に流入させ得るように設けられる。給湯配管２３の入側は、貯湯タンク２１の上部に接続される。給湯配管２３は、貯湯タンク２１に貯留された湯水を外部へ供給し得るように設けられる。複数の残湯サーミスタ２４は、貯湯タンク２１の外表面において互いに高さを変えて設けられる。複数の残湯サーミスタ２４は、貯湯タンク２１の内部の湯水の温度分布を検出し得るように設けられる。
【００２４】
貯湯タンクユニット１１は、タンク下部配管２５と第１のタンク上部配管２６と第２のタンク上部配管２７とタンク戻し配管２８とを備える。
【００２５】
タンク下部配管２５の入側は、貯湯タンク２１の第１下部に接続される。第１のタンク上部配管２６の入側は、貯湯タンク２１の中央部から上部の間に設けられた第２上部に接続される。第２のタンク上部配管２７の入側は、貯湯タンク２１の第１上部に接続される。タンク戻し配管２８の出側は、貯湯タンク２１の中央部から下部の間に設けられた第２下部に接続される。
【００２６】
貯湯タンクユニット１１は、第１の三方弁２９と第２の三方弁３０と四方弁３１とふろ給湯電磁弁３２を備える。
【００２７】
第１の三方弁２９は、ａポートとｂポートとｃポートとを備える。第１の三方弁２９は、ａポートとｃポートをつなぐ流路とｂポートとｃポートをつなぐ流路とを切り替え得るように設けられる。ａポートは、第１のタンク上部配管２６の出側に接続される。ａポートは、湯水が第１のタンク上部配管２６から流入し得るように設けられる。ｂポートは、第２のタンク上部配管２７の出側に接続される。ｂポートは、湯水が第２のタンク上部配管２７から流入し得るように設けられる。ｃポートは、湯水が流出し得るように設けられる。
【００２８】
第２の三方弁３０は、ａポートとｂポートとｃポートとを備える。第２の三方弁３０は、ａポートとｃポートをつなぐ流路とｂポートとｃポートをつなぐ流路とを切り替え得るように設けられる。ａポートは、タンク下部配管２５の出側に接続される。ａポートは、湯水がタンク下部配管２５から流入し得るように設けられる。ｂポートは、湯水が流入し得るように設けられる。ｃポートは、ヒートポンプ入口配管１９の入側に接続される。ｃポートは、湯水がヒートポンプ入口配管１９へ流出し得るように設けられる。
【００２９】
四方弁３１は、ａポートとｂポートとｃポートとｄポートとを備える。四方弁３１は、ａポートとｂポートとをつなぐ流路とｂポートとｄポートとをつなぐ流路とｃポートとｄポートとをつなぐ流路とを切り替え得るように設けられる。ａポートは、タンク戻し配管２８の入側に接続される。ａポートは、湯水がタンク戻し配管２８へ流出し得るように設けられる。ｂポートは、湯水が流入し得るように設けられる。ｃポートは、ヒートポンプ出口配管２０の出側に接続される。ｃポートは、湯水がヒートポンプ出口配管２０から流入し得るように設けられる。ｄポートは、湯水が流出し得るように設けられる。
【００３０】
ふろ給湯電磁弁３２の入側は、貯湯タンク２１の第１上部に接続された配管の出側に接続される。
【００３１】
貯湯タンクユニット１１は、利用側熱交換器１次側入口配管３３と利用側熱交換器１次側出口配管３４とバイパス配管３５と上部戻し配管３６とを備える。
【００３２】
利用側熱交換器１次側入口配管３３の入側は、第１の三方弁２９のｃポートに接続される。利用側熱交換器１次側出口配管３４の出側は、第２の三方弁３０のｂポートに接続される。バイパス配管３５の入側は、ヒートポンプ入口配管１９における第２の三方弁３０とヒートポンプユニット１０との間に接続される。バイパス配管３５の出側は、四方弁３１のｂポートに接続される。上部戻し配管３６の入側は、四方弁３１のｄポートに接続される。上部戻し配管３６の出側は、第２のタンク上部配管２７における貯湯タンク２１の第１上部と第１の三方弁２９のｂポートとの間に接続される。
【００３３】
貯湯タンクユニット１１は、熱源ポンプ３７と利用側熱交換器３８とを備える。
【００３４】
熱源ポンプ３７は、バイパス配管３５の入側よりも第２の三方弁３０の側においてヒートポンプ入口配管１９に設けられる。熱源ポンプ３７は、貯湯タンクユニット１１の内部の各種配管に湯水を循環させ得るように設けられる。利用側熱交換器３８の１次側の入側は、利用側熱交換器１次側入口配管３３の出側に接続される。利用側熱交換器３８の１次側の出側は、利用側熱交換器１次側出口配管３４の入側に接続される。利用側熱交換器３８は、貯湯タンク２１またはヒートポンプユニット１０から供給される高温水を利用して、２次側の加熱対象水を加熱し得るように設けられる。例えば、利用側熱交換器３８は、貯湯タンク２１またはヒートポンプユニット１０から供給される高温水を利用して、暖房用循環水を加熱し得るように設けられる。
【００３５】
貯湯タンクユニット１１は、ふろ循環回路３９を備える。
【００３６】
ふろ循環回路３９の入側は、ふろ戻り配管４０の出側に接続される。ふろ循環回路３９の出側は、ふろ往き配管４１の入側に接続される。ふろ循環回路３９は、途中において利用側熱交換器３８の２次側に接続される。
【００３７】
貯湯タンクユニット１１は、循環ポンプ４２と浴槽出口側サーミスタ４３とフロースイッチ４４と水位センサ４５と循環用微細気泡発生装置４６と注水用微細気泡発生装置４７とを備える。
【００３８】
循環ポンプ４２は、ふろ循環回路３９においてふろ戻り配管４０の側に設けられる。循環ポンプ４２は、浴槽水を循環させ得るように設けられる。浴槽出口側サーミスタ４３は、ふろ循環回路３９において循環ポンプ４２よりもふろ戻り配管４０の側に設けられる。浴槽出口側サーミスタ４３は、浴槽１から出た浴槽水の温度を検出し得るように設けられる。フロースイッチ４４は、水流検出部として、ふろ循環回路３９において循環ポンプ４２よりも利用側熱交換器３８の側に設けられる。フロースイッチ４４は、浴槽水の循環流量が所定以上となった場合にスイッチＯＮとなることで浴槽水の循環水流の有無を検出し得るように設けられる。水位センサ４５は、ふろ循環回路３９において循環ポンプ４２とフロースイッチ４４との間に設けられる。水位センサ４５は、ふろ循環回路３９の内圧力を検出して浴槽の水面高さを測定し得るように設けられる。循環用微細気泡発生装置４６は、ふろ循環回路３９においてフロースイッチ４４よりも利用側熱交換器３８の側に設けられる。循環用微細気泡発生装置４６は、ふろ循環回路３９の内部に微細気泡を発生させ得るように設けられる。注水用微細気泡発生装置４７は、ふろ給湯電磁弁３２の出側とふろ循環回路３９の途中とを接続する配管の途中に設けられる。注水用微細気泡発生装置４７は、注水時に当該配管の内部に微細気泡を発生させ得るように設けられる。
【００３９】
貯湯タンクユニット１１は、制御部４８を備える。
【００４０】
制御部４８は、ヒートポンプユニット１０の各種機器と電気的に接続される。制御部４８は、貯湯タンクユニット１１の各種機器と電気的に接続される。制御部４８は、これらの機器の動作を制御し得るように設けられる。
【００４１】
例えば、制御部４８は、複数の残湯サーミスタ２４により検出された温度分布に基づいて貯湯タンク２１の内部の残湯量を把握する。制御部４８は、貯湯タンク２１の内部の残湯量に基づいてヒートポンプユニット１０による貯湯タンク２１の内部の湯水の沸き上げ運転の開始および停止を制御する。
【００４２】
例えば、制御部４８は、浴槽１に湯水を供給する際にふろ給湯電磁弁３２を開く。
【００４３】
制御部４８は、浴槽栓状態検出部４９と浴槽栓動作指示部５０とを備える。
【００４４】
浴槽栓状態検出部４９と浴槽栓動作指示部５０とは、自動浴槽栓制御部６と電気的に接続される。
【００４５】
浴槽栓状態検出部４９は、自動浴槽栓制御部６を介して浴槽栓２の開閉状態を検出し得るように設けられる。浴槽栓動作指示部５０は、自動浴槽栓制御部６を介して浴槽栓駆動部４へ動作指示を行い得るように設けられる。
【００４６】
例えば、浴槽栓動作指示部５０は、湯はり開始時に浴槽栓駆動部４に閉指示を行う。
【００４７】
リモコン１２は、制御部４８と有線または無線で接続される。リモコン１２は、制御部４８の入出力装置として機能し得るように設けられる。
【００４８】
図２は実施の形態１における給湯機のリモコンの構成図である。
【００４９】
図２に示されるように、リモコン１２は、複数の操作部５１と音声出力部５２と表示部５３とを備える。
【００５０】
例えば、複数の操作部５１の各々は、リモコン１２の下部の右側に設けられる。複数の操作部５１の各々は、情報または指令の入力を受け付け得るように設けられる。例えば、音声出力部５２は、報知部として、リモコン１２の下部の左側に設けられる。音声出力部５２は、情報を音声で出力し得るように設けられる。例えば、表示部５３は、報知部として、リモコン１２の上部に設けられる。表示部５３は、情報を表示で出力し得るように設けられる。
【００５１】
図３は実施の形態１における給湯機において浴槽栓の状態を検出してから湯はり動作を開始するまでの処理を説明するためのフローチャートである。
【００５２】
ステップＳ１では、制御部４８は、浴槽栓動作指示部５０を用いて浴槽栓２の閉動作を自動浴槽栓制御部６に指示する。その後、制御部４８は、ステップＳ２の動作を行う。ステップＳ２では、制御部４８は、浴槽栓状態検出部４９が浴槽栓２の閉状態を検出しているか否かを判定する。
【００５３】
ステップＳ２で浴槽栓状態検出部４９が浴槽栓２の閉状態を検出している場合、制御部４８は、ステップＳ３の動作を行う。ステップＳ３では、制御部４８は、浴槽栓２の閉状態の検出を示す情報を浴槽栓閉動作履歴として記憶する。その後、制御部４８は、ステップＳ４の動作を行う。ステップＳ４では、制御部４８は、湯はり動作を開始する。その後、制御部４８は、動作を終了する。
【００５４】
ステップＳ２で浴槽栓状態検出部４９が浴槽栓２の閉状態を検出していない場合、制御部４８は、浴槽栓２の閉動作の途中である可能性を考慮する。具体的には、制御部４８は、ステップＳ５の動作を行う。
【００５５】
ステップＳ５では、制御部４８は、湯はり操作時からの経過時間が第１時間以上経過しているか否かを判定する。例えば、制御部４８は、浴槽栓駆動部４が浴槽栓動作指示部５０からの信号を受信した後にリトライ動作を含めて開状態から閉状態までにかかる最大時間２０秒を第１時間として湯はり操作時からの経過時間が第１時間以上経過しているか否かを判定する。
【００５６】
ステップＳ５で湯はり操作時からの経過時間が第１時間以上経過していない場合、制御部４８は、浴槽栓２への閉動作の指示が届いていないと判定する。この場合、制御部４８は、ステップＳ６の動作を行う。ステップＳ６では、制御部４８は、湯はり操作時からの経過時間が第１時間よりも短い第２時間以上経過しているか否かを判定する。例えば、制御部４８は、浴槽栓動作指示部５０からの通信送信不良を想定して閉信号を再送するまでの時間である５秒を第２時間として湯はり操作時からの経過時間が短い第２時間以上経過しているか否かを判定する。
【００５７】
ステップＳ６で湯はり操作時からの経過時間が第２時間以上経過していない場合、制御部４８は、浴槽栓２の状態を再び確認するために、ステップＳ２の動作を行う。ステップＳ６で湯はり操作時からの経過時間が第２時間以上経過している場合、制御部４８は、浴槽栓２への閉動作を再び指示するためにステップＳ１の動作を行う。
【００５８】
ステップＳ５で湯はり操作時からの経過時間が第１時間以上経過している場合、制御部４８は、通信不具合が浴槽栓２と浴槽栓状態検出部４９との間で発生していると判定する。この場合、制御部４８は、浴槽栓状態検出部４９の検出状態に関わらずにステップＳ７の動作を行う。
【００５９】
ステップＳ７では、制御部４８は、浴槽栓２の閉状態の未検出を示す情報を記憶する。その後、制御部４８は、ステップＳ４の動作を行う。
【００６０】
図４は実施の形態１における給湯機において浴槽栓の閉状態の未検出の際の初回湯はり動作時の処理を説明するためのフローチャートである。
【００６１】
ステップＳ８では、制御部４８は、図３のステップＳ７で浴槽栓２の閉状態の未検出を示す情報が記憶されているか否かを判定する。
【００６２】
ステップＳ８で浴槽栓２の閉状態の未検出が記憶されていない場合、制御部４８は、動作を終了する。
【００６３】
ステップＳ８で浴槽栓２の閉状態の未検出が記憶されている場合、制御部４８は、ステップＳ９の動作を行う。
【００６４】
ステップＳ９では、制御部４８は、今回の湯はり動作以前に浴槽栓２と連携した湯はりが完了した履歴があるか否かを判定する。
【００６５】
ステップＳ９で今回の湯はり動作以前に浴槽栓２と連携した湯はりが完了した履歴がある場合、制御部４８は、動作を終了する。例えば、今回の湯はり動作が普段使いのような初回の湯はり動作でない場合、制御部４８は、動作を終了する。
【００６６】
ステップＳ９で今回の湯はり動作以前に浴槽栓２と連携した湯はりが完了した履歴がない場合、制御部４８は、ステップＳ１０の動作を行う。例えば、今回の湯はり動作が給湯機９の据付施工時で実施する試運転等の初回の湯はり動作の場合、制御部４８は、ステップＳ１０の動作を行う。
【００６７】
ステップＳ１０では、制御部４８は、湯はり動作を中止する。その後、制御部４８は、ステップＳ１１の動作を行う。ステップＳ１１では、制御部４８は、湯はり動作の中止および浴槽栓２との接続の確認を促すガイダンスをリモコン１２に報知させる。例えば、制御部４８は、当該ガイダンスをリモコン１２の音声出力部５２に音声で出力させる。例えば、制御部４８は、当該ガイダンスをリモコン１２の表示部５３に文字の表示で出力させる。
【００６８】
図５は実施の形態１における給湯機において浴槽栓の閉状態の未検出の際の給湯開始後の処理を説明するためのフローチャートである。
【００６９】
ステップＳ１２では、制御部４８は、図３のステップＳ７で浴槽栓２の閉状態の未検出が記憶されたか否かを判定する。
【００７０】
ステップＳ１２で浴槽栓２の閉状態の未検出が記憶されていない場合、制御部４８は、ステップＳ１３の動作を行う。ステップＳ１３では、制御部４８は、浴槽栓２の閉栓の確認を行わずに設定された湯量まで湯はり動作を継続する。その後、制御部４８は、動作を終了する。
【００７１】
ステップＳ１２で浴槽栓２の未検出が記憶されている場合、制御部４８は、ステップＳ１４の動作を行う。
【００７２】
ステップＳ１４では、制御部４８は、浴槽１に最終的な湯はり量よりも少ない第１基準湯量を給湯する。例えば、制御部４８は、給湯機９が事前に学習し湯量を給湯する。例えば、制御部４８は、浴槽アダプタ３が隠れる程度の湯量３０Ｌを給湯する。その後、制御部４８は、ステップＳ１５の動作を行う。
【００７３】
ステップＳ１５では、制御部４８は、循環ポンプ４２を動作させる。この際、制御部４８は、フロースイッチ４４の検出結果に基づいて湯水の循環有無を検出する。その後、制御部４８は、ステップＳ１６の動作を行う。
【００７４】
ステップＳ１６では、制御部４８は、湯水の循環有無に基づいて浴槽水があるか否かを判定する。
【００７５】
ステップＳ１６で浴槽水がある場合、制御部４８は、ステップＳ１３の動作を行う。
【００７６】
ステップＳ１６で浴槽水がない場合、制御部４８は、ステップＳ１７の動作を行う。ステップＳ１７では、制御部４８は、浴槽栓２の開状態の懸念があると判定する。この場合、制御部４８は、湯はり動作を中止する。その後、制御部４８は、ステップＳ１８の動作を行う。
【００７７】
ステップＳ１８では、制御部４８は、浴槽栓２の開状態の懸念があるために湯はり動作を中止したことを示すガイダンスをリモコン１２に報知させる。例えば、制御部４８は、当該ガイダンスをリモコン１２の音声出力部５２に音声で出力させる。例えば、制御部４８は、当該ガイダンスをリモコン１２の表示部５３に文字の表示で出力させる。例えば、制御部４８は、通信アダプタ７を介して外部機器８に対しても同様のガイダンスを報知させることもある。
【００７８】
以上で説明した実施の形態１によれば、浴槽栓状態検出部４９が浴槽栓２の閉状態を検出しない場合、第１基準湯量での浴槽１の湯はりが指示される。その後、フロースイッチ４４が湯水の循環を検出した場合、設定された湯はり量まで浴槽１の湯はりが指示される。これに対し、フロースイッチ４４が湯水の循環を検出しない場合、浴槽１の湯はりの中止が指示される。このため、浴槽栓２との通信において障害がある場合でも、お湯を無駄にせずに湯はり動作を開始することができる。
【００７９】
また、フロースイッチ４４が湯水の循環を検出しない場合、リモコン１２は、浴槽栓２の開閉状態の確認を促す情報を報知する。このため、使用者に対し、浴槽栓２を手動で閉じることを促すことができる。
【００８０】
また、フロースイッチ４４が湯水の循環を検出しない場合、リモコン１２が浴槽栓２の開閉状態の確認を促す情報を報知する前に、制御部４８は、浴槽栓２の閉動作を再度指示する。このため、浴槽栓２との通信において障害が一時的である場合、使用者に対して浴槽栓２を手動で閉じさせることを回避できる。
【００８１】
また、浴槽栓２の閉じた実績が無い状態において、浴槽栓２の閉動作が指示され、浴槽栓状態検出部４９が浴槽栓２の閉状態を検出しない場合、第１基準湯量での浴槽１の湯はりは指示されない。この際、リモコン１２は、浴槽栓２と給湯機９との接続の確認を促す情報を報知する。このため、施工不良時において、浴槽１への給湯を開始する前に施工者に施工不良個所の確認を促すことができる。
【００８２】
なお、浴槽栓２の閉状態が検出されずに浴槽１の湯はりが指示された場合、浴槽栓２の閉状態が検出されずに浴槽１の湯はりが実施されたことを示す情報を外部機器８に報知させてもよい。例えば、ＨＥＭＳ（Ｈｏｍｅ  Ｅｎｅｒｇｙ  Ｍａｎａｇｅｍｅｎｔ  Ｓｙｓｔｅｍ）経由で当該情報を外部機器８に報知させてもよい。この場合、使用者に対して、給湯機９と浴槽栓２と給湯機９との連携の状況を適切に示すことができる。
【００８３】
また、リモコンの操作部５１を用いて給湯機９の湯はり動作と浴槽栓２の閉動作が連携する第１のモードと連携しない第２のモードとのうちからいずれかのモードを選択してもよい。この場合、使用者の習慣に合わせて給湯機９の設定を変更することができる。
【００８４】
例えば、第１のモードが設定されている際に浴槽栓２との接続が検出されない場合、浴槽栓２の開閉状態を検出に関わらず、浴槽１の湯はりを指示してもよい。例えば、浴槽栓２の閉状態の未検出の状態での湯はりの指示を５回行った場合は、浴槽栓２と給湯機９とが接続されていないと判定すればよい。この場合、モードが誤って設定されても、浴槽栓２の閉状態を検出する際にかかる時間を短縮して湯はり動作を開始することができる。
【００８５】
第２のモードが設定されている際、浴槽１の湯はりが指示された場合は、浴槽栓２の閉状態の確認を促す情報をリモコン１２に報知させればよい。この場合、お湯が無駄になることを抑制することができる。
【００８６】
これに対し、第１のモードが設定されている際、浴槽１の湯はりが指示された場合は、浴槽栓２の閉状態の確認を促す情報をリモコン１２に報知させなくてもよい。この場合でも、お湯が無駄になることはない。
【００８７】
また、浴槽１の湯はりが開始された後に、浴槽栓状態検出部４９が浴槽栓２の開状態を検出しても、湯はり動作を継続させてもよい。例えば、使用者による開閉スイッチ５での浴槽栓２の開操作が行われても、湯はり動作を継続させてよい。この際、浴槽１の湯はり中に浴槽栓２が開いたことを示す情報をリモコン１２の表示部５３に表示させてもよい。また、浴槽１の湯はり中に浴槽栓２が開いたことを示す情報を外部機器８に表示させてもよい。さらに、浴槽１の湯はりの完了時に浴槽水が少ない場合に、浴槽栓２が開いたことにより浴槽水が少ないことを示す情報をリモコン１２の表示部５３および外部機器８の少なくとも一方に表示させてもよい。
【００８８】
また、浴槽栓２の開閉状態を示す情報として、文字およびキャラクターの少なくとも一方をリモコン１２の表示部５３および外部機器８の少なくとも一方に表示させてもよい。この場合、浴槽栓２の開閉状態を表示部５３および外部機器８の少なくとも一方のみで浴槽栓２の開閉状態を使用者に報知することができる。
【符号の説明】
【００８９】
１  浴槽、  ２  浴槽栓、  ３  浴槽アダプタ、  ４  浴槽栓駆動部、  ５  開閉スイッチ、  ６  自動浴槽栓制御部、  ７  通信アダプタ、  ８  外部機器、  ９  給湯機、  １０  ヒートポンプユニット、  １１  貯湯タンクユニット、  １２  リモコン、  １３  空気熱交換器、  １４  圧縮機、  １５  沸き上げ用熱交換器、  １６  膨張弁、  １７  冷媒循環配管、  １８  ＨＰ出口側サーミスタ、  １９  ヒートポンプ入口配管、  ２０  ヒートポンプ出口配管、  ２１  貯湯タンク、  ２２  給水配管、  ２３  給湯配管、  ２４  残湯サーミスタ、  ２５  タンク下部配管、  ２６  第１のタンク上部配管、  ２７  第２のタンク上部配管、  ２８  タンク戻し配管、  ２９  第１の三方弁、  ３０  第２の三方弁、  ３１  四方弁、  ３２  ふろ給湯電磁弁、  ３３  利用側熱交換器１次側入口配管、  ３４  利用側熱交換器１次側出口配管、  ３５  バイパス配管、  ３６  上部戻し配管、  ３７  熱源ポンプ、  ３８  利用側熱交換器、  ３９  ふろ循環回路、  ４０  ふろ戻り配管、  ４１  ふろ往き配管、  ４２  循環ポンプ、  ４３  浴槽出口側サーミスタ、  ４４  フロースイッチ、  ４５  水位センサ、  ４６  循環用微細気泡発生装置、  ４７  注水用微細気泡発生装置、  ４８  制御部、  ４９  浴槽栓状態検出部、  ５０  浴槽栓動作指示部、  ５１  操作部、  ５２  音声出力部、  ５３  表示部
【図１】
2019132472.tif 000003
【図２】
2019132472.tif 000004
【図３】
2019132472.tif 000005
【図４】
2019132472.tif 000006
【図５】
2019132472.tif 000007